Podtech/llm-jp-corpus-v4-ja_patent huggingface dataset:
(57)【要約】【課題】車両用の台車内に据え付けられている主電動機の回転子構造に関し、主電動機の運転中は、スロットに組込まれた永久磁石に遠心力が働くため、永久磁石とスロットとの間の隙間で、永久磁石がスロット内で動くことがあることから、永久磁石をスロットへ組込む作業性を改善し、比較的容易な作業で永久磁石をスロットに固定する必要がある。【解決手段】スロットの一部に切り欠きを設け、切り欠きにスプリングピンを挿入することで経年変化の無い形で永久磁石をスロット内に固定することができる。【選択図】図１
2010183772.tif 000002
【特許請求の範囲】
【請求項１】
車両用の台車内に据え付けられる主電動機の回転子構造につき、回転子鉄心において回転子軸の同心円上にスロットと、該スロットの一部に切り欠きを設け、該切り欠き内にスプリングピンを挿入することで、該スプリングピンの反発力により前記スロットに組み込まれる永久磁石が、経年変化なく前記スロット内部に固定されることを特徴とする回転子における永久磁石の固定方法。
【発明の詳細な説明】
【技術分野】
【０００１】
本発明は、車両用の台車内に据え付けられている主電動機の回転子構造に関し、回転子に組込む永久磁石の固定方法に関するものである。
【背景技術】
【０００２】
永久磁石式の主電動機の回転子において、永久磁石を回転子鉄心に設けられたスロットに埋め込んでいる。回転子鉄心は薄板を積層した構成となっているため、スロットの表面には僅かな段差が生じている。このため、永久磁石の外形は、スロットの内形よりも小さくする必要があり、永久磁石とスロットとの間には隙間が生じている。
【０００３】
主電動機の運転中は、スロットに組込まれた永久磁石に遠心力が働くため、前記の隙間があるために、永久磁石がスロット内で動くことがある。このため、永久磁石を固定する必要がある。
従来は（図６）に示す通り、隙間に接着材を充填する必要があり、永久磁石をスロットへ組込む作業性に問題があった。また、接着材の経年劣化に対して問題があった。
【先行技術文献】
【特許文献】
【０００４】
【特許文献１】特開平９−２３３７６６号公報
【発明の概要】
【発明が解決しようとする課題】
【０００５】
解決しようとする問題点は、永久磁石をスロットへ組込む作業性を改善し、比較的容易な作業で永久磁石をスロットに固定することができ、経年変化の無い固定方法とすることが目的である。
【課題を解決するための手段】
【０００６】
請求項１の発明によれば、車両用の台車内に据え付けられる主電動機の回転子構造につき、回転子鉄心において回転子軸の同心円上にスロットと、該スロットの一部に切り欠きを設け、該切り欠き内にスプリングピンを挿入することで、該スプリングピンの反発力により前記スロットに組み込まれる永久磁石が、経年変化なく前記スロット内部に固定されることを特徴とする回転子における永久磁石の固定方法である。
【０００７】
すなわち、本発明は、スロットの一部に切り欠きを設け、切り欠きにスプリングピンを挿入することで永久磁石をスロット内に固定することを特徴とする。
【発明の効果】
【０００８】
本発明の回転子に組込む永久磁石の固定方法は、接着材等の流動性のある物質を使用      することなく、経年劣化の無い部品で構成できる利点がある。
【図面の簡単な説明】
【０００９】
【図１】本発明の実施例を示す回転子断面の説明図である。
【図２】本発明の実施例を示す回転子断面の説明図である。
【図３】本発明の実施例を示す回転子断面の説明図である。
【図４】本発明の実施例を示す回転子断面の説明図である。
【図５】本発明の実施例と従来の一例を示す回転子の説明図である。
【図６】従来の一例を示す回転子断面の説明図である。
【図７】スプリングピンの詳細を示す説明図である。
【発明を実施するための形態】
【００１０】
スロットの一部に切り欠きを設け、切り欠きにスプリングピンを挿入することで永久磁石をスロット内に固定する。
【実施例１】
【００１１】
図５は、本発明の実施例と従来の一例を示す回転子の説明図であって、１は回転子軸、２は駆動側鉄心抑え、３は反駆動側鉄心抑え、４は回転子鉄心、５は永久磁石、６はスロットである。
【００１２】
図１〜図４は、本発明の実施例を示す回転子断面の説明図であって、１〜６は図５と同様であり、７はスロットの切り欠き、８はスプリングピンである。永久磁石５はスロット６に設けられたスロットの切り欠き７である。
【００１３】
図６は、従来の一例を回転子断面の説明図であって、永久磁石５とスロット６との間に生じる隙間には、接着剤９が充填されている。
【００１４】
図７は、図５及び図１〜図４に示すスプリングピン８の詳細図である。
【００１５】
スロットの切り欠き７の全長は回転子鉄心の全長と同一あるいは、駆動側鉄心抑え２または反駆動側鉄心抑え３と接する面から一部分の場合がある。
【００１６】
スプリングピン８とスロットの切り欠き７の全長は同一或いは、スプリングピン８がスロットの切り欠き７よりも短い場合がある。
【００１７】
スロット６に対するとスロットの切り欠き７の位置は、図１〜図４に示す通り、各々のスロットの任意の位置１箇所である。
【産業上の利用可能性】
【００１８】
永久磁石をスロットへ組込む作業性を改善し、比較的容易な作業で永久磁石をスロットに固定し、経年変化の無く永久磁石をスロット内で固定することができる。
【符号の説明】
【００１９】
１    回転子軸
２    駆動側鉄心抑え
３    反駆動側鉄心抑え
４    回転子鉄心
５    永久磁石
６    スロット
７    スロットの切り欠き
８    スプリングピン
９    接着材
【図１】
2010183772.tif 000003
【図２】
2010183772.tif 000004
【図３】
2010183772.tif 000005
【図４】
2010183772.tif 000006
【図５】
2010183772.tif 000007
【図６】
2010183772.tif 000008
【図７】
2010183772.tif 000009
(57)【要約】      （修正有）【課題】電子機器筺体の取り付けは、ねじ止め式、マグネット固定式のどちらも可能で、加工も簡単である電子機器筺体の取り付け構造を提供する。【解決手段】電子機器筺体１の裏面には、マグネット４の取り付け凹部５を設けると共に、取り付け凹部５の略中央部にねじ挿通孔６を設け、電子機器筺体１を分電盤にねじ止めするためと、マグネット４を電子機器筺体１に固定するためとにねじ挿通孔６を共用する。【選択図】図３
2010183716.tif 000002
【特許請求の範囲】
【請求項１】
分電盤にねじ止めまたは、マグネットによる固定により取り付けて用いられる、電子機器を収納する電子機器筺体の取り付け構造であって、前記電子機器筺体の裏面には、前記マグネットの取り付け凹部を設けると共に、該取り付け凹部の略中央部にねじ挿通孔を設けたことを特徴とする電子機器筺体の取り付け構造。
【発明の詳細な説明】
【技術分野】
【０００１】
本発明は、分電盤に、ねじ止めまたは、マグネットによる固定により取り付けて用いられる、電子機器を収納する電子機器筺体の取り付け構造に関するものである。
【背景技術】
【０００２】
電子機器筺体は、基台に基板等の電子機器を載置し、基台正面は、カバー体で施蓋して構成される。電気使用量を計測するための計測器等を収納した電子機器筺体は、分電盤内部や、分電盤のキャビネットの外側に、取り付けて用いられる。電子機器筺体の取り付けは、ねじ止めされることが多く、基台背面にねじ挿通孔が設けられていて、このねじ挿通孔にねじを挿通し、電子機器筺体に配置された取り付け板にねじをねじこんで固定されていた。
【０００３】
または、基台裏面にマグネットを備え、分電盤の扉体など金属製の部分に吸着して固定させることもあった。
【０００４】
電子機器筺体をねじ止め式として用いるか、マグネット固定式として用いるかは、取り付けの際に選択できるように、基台には、ねじ挿通孔とマグネット取り付け部とをそれぞれに形成していた。
【先行技術文献】
【非特許文献】
【０００５】
【非特許文献１】２００７カワムラ総合カタログ電設資材編  平成１９年６月２０日
【発明の概要】
【発明が解決しようとする課題】
【０００６】
電子機器筺体の使い勝手を向上させるため、電子機器筺体の取り付け方法をねじ止め式とマグネット固定式とに選択できるようにする。しかしながら、ねじ止め式として用いるために、ねじ挿通孔を、マグネット固定式として用いるために、マグネットを取り付けるための取り付け部とを形成する必要があり、その加工に手間がかかるという欠点があった。また、ねじ挿通孔とマグネット取り付け部とをそれぞれ形成することで、電子機器筺体の内部に機器を取り付けることのできる部分が限定されてしまうという欠点があった。
【課題を解決するための手段】
【０００７】
そこで本発明は、電子機器筺体の取り付けは、ねじ止め式、マグネット固定式のどちらも可能で、加工も簡単である電子機器筺体の取り付け構造を提供することを目的とし、電子機器筺体の裏面には、マグネットの取り付け凹部を設けると共に、取り付け凹部の略中央部にねじ挿通孔を設けたことを特徴とする。
【発明の効果】
【０００８】
本発明に係る電子機器筺体の取り付け構造は、電子機器筺体の裏面には、マグネットの取り付け凹部を設けると共に、取り付け凹部の略中央部にねじ挿通孔を設けたため、電子機器筺体の加工が簡単であるので、安価に使い勝手の良い電子機器筺体が提供できるようになる。また、電子機器筺体を分電盤にねじ止めするためと、マグネットを電子機器筺体に固定するためとにねじ挿通孔を共用することで、電子機器筺体の内部スペースを機器の配置に有効に利用することができるようになり、小型化の進む電子機器にとって、大きな効果が得られる。
【図面の簡単な説明】
【０００９】
【図１】図１は電子機器筺体をねじ止め式として用いる実施例を示した説明図である。
【図２】図２は電子機器筺体をマグネット固定式として用いる実施例を示した説明図である。
【図３】図３は電子機器筺体をマグネット固定式として用いる実施例を示した説明図である。
【発明を実施するための形態】
【００１０】
本発明に係る電子機器筺体の取り付け構造の実施例を図１〜図３の添付図面に基いて説明する。図１は、電子機器筺体をねじ止め式として用いる様子を示し、図２〜図３は、電子機器筺体をマグネット固定式として用いる様子を示している。
【００１１】
本発明に係る電子機器筺体１は、基板等の電子機器を載置する基台２と、この基台２前面開口を被覆するカバー体３とから構成される。このような電子機器筺体１は、例えば電力使用量を表示する機器として用いられ、分電盤のキャビネット内部やキャビネットの扉に取り付けられる。
【００１２】
図３に示すように、電子機器筺体１の基台２の裏面には、マグネット４を取り付けるためのマグネット取り付け凹部５を形成している。大きさや数については、電子機器筺体１の大きさに合わせて適宜変更可能である。図３では、上下二ケ所に形成している。マグネット取り付け凹部５の略中央部には、ねじ挿通孔６を設ける。また、図１〜図２に示すように、カバー体３にもこのねじ挿通孔６に対向する位置に挿通孔７を形成する。
【００１３】
電子機器筺体１を分電盤内部にねじ止めして固定する場合には、基台２正面開口をカバー体３で被覆した状態で、カバー体３の正面から挿通孔７とねじ挿通孔６とにそれぞれねじ８を挿通し、分電盤に設置されている機器取り付け板（図示せず）にねじこんで固定する。このとき用いるねじ８は、カバー体３、基台２を貫通し、機器取り付け板に到達、ねじこみできる長さである。
【００１４】
また、電子機器筺体１を分電盤の扉等の金属に固定または、仮設置する場合には、ねじ挿通孔６には、スペーサ９を差し込む。スペーサ９は、マグネット４を支持する機能と、マグネット４を電子機器筺体１に固定するためのねじ受けの機能を持つ。基台２裏面に形成したマグネット取り付け凹部５に略中央部に挿通穴１０を有するマグネット４を置き、小ねじ１１を挿通し、ねじ挿通孔６に差し込んだスペーサ９とでマグネット４を固定する。そのマグネット４の吸着力で分電盤に取り付ける。マグネット４を固定する小ねじ１１は、電子機器筺体１を分電盤に取り付けるときに、分電盤に傷をつけないよう、マグネット４表面から突出しない頭部の平らなものが良い。
【００１５】
電子機器筺体１を分電盤に取り付ける場合、ねじ止め式で確実に固定する場合と、マグネット４で取り付け取り外しも可能にする場合と、どちらか片方の方法を選択できれば良いため、電子機器筺１体を分電盤にねじ止めするためと、マグネット４を電子機器筺体１に固定するためと、ねじ挿通孔６を共用することができる。
【００１６】
電子機器筺体１を分電盤にねじ止めするためと、マグネット４を電子機器筺体１に固定するためとにねじ挿通孔６を共用することで、基台２のスペースを機器の配置に有効に利用できるようになる。
【符号の説明】
【００１７】
１    電子機器筺体
２    基台
３    カバー体
４    マグネット
５    マグネット取り付け凹部
６    ねじ挿通孔
７    挿通孔
８    ねじ
９    スペーサ
１０  挿通穴
１１  小ねじ
【図１】
2010183716.tif 000003
【図２】
2010183716.tif 000004
【図３】
2010183716.tif 000005
(57)【要約】      （修正有）【課題】コード及びイヤホンの収納が素早くでき廉価にできる収納具を提供する。【解決手段】尾錠本体１の長手方向左右両側部が尾錠本体１の中間部より、上部に位置するよう延設したコード係止片部５を設け、該コード係止片部５両下部にコード挿入空間部を構成し、上記コード係止片部５左右両側にコード１３の一部を導き案内するコード案内切欠部７を設け、該コード案内切欠部７に、コード係止孔８を連設した尾錠本体１と、バンド１０を係止接続して携帯用音響機器１６に尾錠本体１が裏面にくるようバンド１０を巻き付けセットし、ジャック１５に続くコード１３を携帯音響機器１６に巻き付けてイヤホン１４近傍に近づいたら、コード１３をコード挿入空間部に挿入し、次にコード１３を導き案内するコード案内切欠部７に挿入し、該コード案内切欠部７に連設したコード係止孔８に挿入係止、巻止する。尾錠本体１は、つく棒２を除き一体成型とし廉価に提供できる。【選択図】図７
2010183266.tif 000002
【特許請求の範囲】
【請求項１】
尾錠本体長手方向左、右両側部が尾錠本体中間部より、上部に位置するよう延設されたコード係止片部両側にコード案内切欠部を設けた、該コード案内切欠部両側にコード係止孔を連設した尾錠本体と、バンドを係止接続して設けたことを特徴とした尾錠付きコード及びイヤホン収納具。
【発明の詳細な説明】
【技術分野】
【０００１】
本発明は、コード及びイヤホンを素早く収納できるコード及びイヤホン収納具に関する。
【背景技術】
【０００２】
携帯音用響機器等でイヤホン使用後は、コードをコード巻き取りケースで収納するか、携帯用音響機器に巻き付け収納するか、手で丸めてポケット、カバン等に入れて収納していたのが実情である。
【発明の開示】
【発明が解決しようとする課題】
【０００３】
そのため、コード及びイヤホンをコード巻き取りケースに収納するには煩雑で時間のロス、又携帯用音響機器に巻き付けるか、又ジャックを携帯用音響機器より抜き取りコードを手で丸めてポケット、カバン等にいれて収納していたが、それは共にコードとイヤホンが絡み合って解かねばならない事態が生じ、時間のロスがあった、そこで前述の問題点を解説しようとするものである。
【発明の概要】
【０００４】
そして本発明は上記目的を達成するため、尾錠本体のつく棒と平行になる長手方向左、右両側部に、コードの一部を挿入係止、巻止が容易になるよう尾錠本体中間部より上部に位置するよう設けたコード係止片部を延設して設けた、コード係止片部両下部に構成されたコード挿入空間部にコードを挿入、次にコード係止片部に設けたコードを導き案内するコード案内切欠部とコード係止孔を連設して設けた尾錠本体と、バンドを係止接続してバンドを携帯用音響機器に尾錠本体が裏面にくるようバンドを巻き付けセットし、ジャックに続くコードを携帯用音響機器に巻き付けてイヤホン近傍に近づいたら、コードをコード案内切欠部を経てコード係止孔に挿入係止、巻止することにより問題点を解決している。
【発明の効果】
【０００５】
上述のように、尾錠本体とバンドを係止接続して、尾錠本体が携帯用音響機器の裏面にくるようバンドを巻き付けセットし、ジャックに続くコードを、携帯用音響機器に巻き付け、イヤホン近傍に近づいたら尾錠本体長手方向左、右両側部にコードの一部を挿入係止、巻止が容易になるよう尾錠本体中間部より、上部に位置するようコード係止片部を延設して設けたコード係止片部両下部に構成されたコード挿入空間部に、コードを挿入、次に、コード係止片部に設けたコードを導き案内するコード案内切欠部に挿入し、コード案内切欠部に連設されたコード係止孔に挿入係止、巻止することにより、安定的に確実にコード及びイヤホンを収納することができる。
【０００６】
尚、趣味に応じてバンドの剣先より角形ビーズを挿入、又バンドにシール等を貼付すれば、使用に際し美的視覚も得られ、楽しく使用することができ、かつ再使用の時はイヤホンを手に持ち、コードを、コード係止孔より解き、携帯用音響機器からコードを解き放せば、ジャックは、常に携帯用音響機器に接続されているので、コードとイヤホンの絡みもなく素早く再使用ができ、又尾錠本体もつく棒を除き、一体成型ができ廉価に提供できる等の利点が得られる。
【発明を実施するための最良の形態】
【０００７】
以下添付図面に従って実施例を説明する。
１は尾錠本体、２はバンド１０を所用の位置で締止めるつく棒、３はつく棒２の支持軸、４は尾錠本体１の中間部、５は中間部４より上部に位置した左、右両側につく棒２と平行して延設したコード係止片部、尚コード係止片部５は中間部４より上部の位置になるよう尾錠本体１の長手方向左、右両側、図５に示すように外側に反らしてコード係止片部５を延設することもある。
６はコード係止片部５両下部に構成された図４に示すように、バンド１０との間に構成されたコード挿入空間部７はコード係止片部５左、右両側に設けられたコード１３の一部を導き案内するコード案内切欠部、８は該コード案内切欠部５両部に連設したコード１３の一部を係止、巻止できるコード係止孔、９は尾錠本体１にバンド１０を係止接続してなるバンド１０を尾錠本体１が携帯用音響機器の裏面にくるようバンド１０を巻き付け装着時の尾錠本体１の平行及び安定を保たたせるくさび形、又は長方形及び凸状体等の安定部材を、尾錠本体１の中間部４の前後に設けた安定部材。
１０はバンド、１１は締止孔、１２は剣先、１３はコード、１４はイヤホン、１５はジャック、１６は携帯用音響機器。
【０００８】
本発明、尾錠付きコード及びイヤホン収納具の実施例は、上記のように構成されているので、尾錠本体１にバンド１０を係止接続させて、図７に示すように、尾錠本体１が、携帯用音響機器１６の裏面にくるようバンド１０を巻き付けセットし、ジャック１５に続くコード１３を携帯用音響機器１６に巻き付けイヤホン１４近傍に近づいたら、残りコード１３を、コード挿入空間部６を経て、コード案内切欠部７に挿入し、該コード案内切欠部７に連設されたコード係止孔８に挿入係止、巻止すれは、一連の収納作業が完了する。
【０００９】
尚、図４に示すコード係止片部５に下部に構成されたコード挿入空間部６に、イヤホン１４近傍のコード１３を挿入巻止し、コード１３及びイヤホン１４を収納することもできる。
【図面の簡単な説明】
【００１０】
【図１】平面図
【図２】正面図
【図３】図２の左側図面
【図４】一部実施正面図
【図５】一部別形態の正面図
【図６】尾錠本体にバンドを取り付けた状態を示す説明平面図
【図７】本発明に係る尾錠付きコード及びイヤホン収納具の実施例を示す縮小参考平面図
【符号の説明】
【００１１】
１尾錠本体
２つく棒
３支持軸
４中間部
５コード係止片部
６コード挿入空間部
７コード案内切欠部
８コード係止孔
９安定部材
１０バンド
１１締止孔
１２剣先
１３コード
１４イヤホン
１５ジャック
１６携帯用音響機器
【図１】
2010183266.tif 000003
【図２】
2010183266.tif 000004
【図３】
2010183266.tif 000005
【図４】
2010183266.tif 000006
【図５】
2010183266.tif 000007
【図６】
2010183266.tif 000008
【図７】
2010183266.tif 000009
(57)【要約】【課題】      ビデオ画面の解像度を従来より効率良く上げる撮影法。【解決手段】    カメラを９０度回転して撮影する。【選択図】        図２
2010183209.tif 000002
【特許請求の範囲】
【請求項１】
縦に走査線を走らせ撮影することにより、映像の解像度を上げる事を特徴とする撮影方式。
【発明の詳細な説明】
【技術分野】
【０００１】
本発明はビデオ撮影に関する。
【背景技術】
【０００２】
ビデオカメラ撮影。
【発明の開示】
【発明が解決しようとする課題】
【０００３】
ビデオ映像の解像度を従来より上げること。
【課題を解決するための手段】
【０００４】
縦に走査線が走るよう撮影する事。
【発明の効果】
【０００５】
従来のビデオ撮影よりも解像度が高く映像が映る。従来の予算で解像度を上げられるので、コストパフォーマンスが従来のものより高い。
【発明の実施するための最良の形態】
【０００６】
ビデオカメラを９０度回転させ、撮影する。
【実施例１】
【０００７】
本発明実施例を以下図面に基づき説明する。
図１は通常のビデオカメラの画面１で、走査線２が水平に走っている。
図２は本発明実施例で、ビデオカメラを９０度回転して撮影した場合の画像１で、走査線２は縦に走る。従って本発明撮影後で解像度が飛躍的に伸びる。あらゆる高解像度の信号を変更し、従来横方向垂直のモニターやテレビを再生できる。
ビデオカメラを、縦に走査線を走らせるようにした場合や、公知のビデオカメラを９０度に回転して撮影する場合、また、画面の縦横比率の差異や画面形状の違い、横型走査線の角度の差異など、すべて本発明に含まれる。
【産業上の利用可能性】
【０００８】
本発明、従来の予算で解像度を上げられるので、映像産業上の効果が絶大である。
【図面の簡単な説明】
【０００９】
【図１】公知の水平走査線のビデオカメラの映像の正面図
【図２】本発明方式でビデオカメラを９０度回して走査線を垂直にして解像度を向上した映像の正面図
【符号の説明】
【００１０】
1      ビデオ画面
2      走査線
【図１】
2010183209.tif 000003
【図２】
2010183209.tif 000004
(57)【要約】      （修正有）【課題】チーズと味噌と醤油の混合による調味料を提供する。【解決手段】チーズと味噌と醤油と和風出汁又は洋風出汁を混合して塩分を２％とする。その為には、チーズ、味噌、醤油をそれぞれ重量比率で等分に使用する事と出汁は各々のタンパク質の１０倍とする事が必要である。重量比でチーズ１：味噌１：醤油１：出汁１０である。これらをミキサーで十分混和すればよい。製品が腐敗しないように、上記の加工が終ったら殺菌のため全体を摂氏８０度以上に過熱することが必要である。チーズの塩分は３％、味噌の塩分は１０％、醤油の塩分は１６％、出汁の塩分は殆どゼロである。【選択図】なし【特許請求の範囲】
【請求項１】
日本料理のしゃぶしゃぶを食する時に使うタレを乳製品の醗酵食品であるチーズと大豆の醗酵食品である味噌と醤油とを混合してつくる。
【請求項２】
調味料の一種としてのタレであるが、欧米の伝統的食材であるチーズと日本の伝統的な食材である味噌と醤油を使用する物であり、異質の蛋白質の醗酵食品の混合で新しい味が出てくる。つまり、味噌、醤油、チーズを基本とする調味料である。チーズとしてはブルーチーズを基本とする。
【請求項３】
我々日本人の調味料としては味噌、醤油、味醂、塩並びに一般的な和風出汁が主流であるが、伝統ある欧米の食文化には日本料理の調味料との接点は少ない。  逆に、欧米の調味料であるチーズやバター、ヨーグルト並びに伝統的な洋風出汁であるフォンドボー（牛骨、脛肉で作った洋風出汁）等と我々の調味料を合わせた時、新しい味の調味料が出来上がる。
このチーズと味噌と醤油を合わせた調味料は、全く新しい味を作り出すものである。この新しい調味料は、獣肉、鳥肉、魚介類、各種野菜を対象とした  「しゃぶしゃぶ」のように高温の出汁の中で加熱処理した食材でも、加熱しない生食でも、殆どあらゆる食材を食する時に調味料として使用すると大変美となる。和洋中華料理の全般に対し、その応用範囲は極めて大きい。
野菜サラダにかけても、スパケッティーにかけても、湯豆腐にかけて刻み葱や鰹節と共に食してもよい。つまり新しい調味料として和洋中華いずれの新しい料理でも美味にする事ができる調味料である。
【発明の詳細な説明】
【技術分野】
【０００１】本発明は、鳥獣肉や魚介類を高温の出汁等で加熱処理加工したものに添加して食する為のタレの製法である。代表的な使用対象はしゃぶしゃぶのタレである。
基本的には醗酵した乳製品であるチーズと醗酵した大豆蛋白質の加工食品である味噌と醤油を混ぜ合わせ、好みの出汁で延ばし塩分を２パーセント程度にしたものである。味噌の塩分は１０％、醤油の塩分は１６％、ブルーチーズの塩分は３％程度である。【０００２】東西の長い食文化の中で、日本の味噌と醤油が欧米のチーズと混ぜ合わされて調味料になった事はなかったから、その美味なる食感には注目されなかった。
しかし、東西の美味なる調味料が合わされると、その美味の効果は倍増するものであり、その分量の確定が難しいが、基本的にはチーズ、味噌、醤油並びに出汁の分量は重量比１：１：１：１０にする。出汁はフォンドボーのような獣肉からとった洋風出汁でも良いし、昆布や鰹節で作った和風出汁でもよい。【０００３】好みに応じて、タレにニンニク風味をいれても良いし、食するときに刻み葱と共に薬味の様に使って食してもよい。好みによってはパセリやセロリーや洋風の香味野菜の刻みを入れても良い。
【発明の概要】
【発明が解決しようとする課題】
【０００４】我国の料理としてしゃぶしゃぶは日本人には非常に好まれているが、これは欧米人には必ずしも好評ではない。理由はタレであり、醤油が主体で、大根おろしとか、ゴマタレのような日本人好みの香辛料がはいると、欧米人には向かない場合が出てくる。解決しようとしている課題は、我々日本人と味覚の違う欧米人にも、しゃぶしゃぶが好まれるいようなタレをつくる事であり、そのタレは日本人が好む欧米風料理に添加すると日本人好みの料理に変化するのである。それにより、新しい食感を求めるグルメの人たちがより高く評価してくれるような新種のタレを作ることで、食品事業の拡大を図ろうと言うのが課題である。
【課題を解決するための手段】
【０００５】欧米の歴史的食材と日本の歴史的食材を合わせて、欧米人にも日本人にも違和感の無い、美味なタレをつくる事である。そのために、チーズと味噌、醤油を混ぜたタレをつくるのだが、チーズはブルーチーズが最適である事が判明したが、なかでもイタリアのゴルゴンゾーラのブルーチーズがより適していると思われた。味噌、醤油は特に拘らなくとも差し支えない。【０００６】食文化の歴史の違う日本人と欧米人では、このタレも好みに微妙な差がある。
日本人対象の場合は和風出汁を多めに、欧米人が対象の場合は洋風出汁を多めにしたほうが良い。  和風出汁とは昆布や鰹節で取った出汁であり、洋風出汁はフォンドボーのような出汁である。
【発明の効果】
【０００７】日本における料理「しゃぶしゃぶ」のタレの多くが、ゴマタレに、大根卸とか刻み葱、生姜等が多く、時には欧米人の趣向とあわない場合がかなりある。  欧米人にはブルーチーズ、味噌、醤油を併せ欧風出汁と和風出汁でのばして作った新しいタレには違和感が無い。  牛乳タンパク質の醗酵したチーズと大豆蛋白の醗酵した味噌には、相互に味が混和してより美味な味を作り出す性質があり、それが新しい味を作り出すための大きな効果を作り出す。
【発明の実施するための形態】
【０００８】基本はブルーチーズと味噌と醤油を重量比で同等量を取り出し、これを大きな器に入れて、これに必要な水分をいれて混和すればよい。
材料を全部混ぜ合わせ、ミキサーで完全に混和することが必要。
水分としては、フォンドボーのような洋風出汁でも、鰹節や昆布出汁等の和風出汁でも、あるいはそれを適宜混ぜたものでも良い。日本人を対象とする場合には、和風出汁が多いほうが良い。欧米人、中国人を対象とする場合には、洋風出汁が多いほうが良い。これを混ぜ合わせ塩分を２％程度に抑えておく事が肝要である。
塩分を２％にするためには、チーズ、味噌、醤油、出汁をそれぞれ重量比１：１：１：１０  として、一つの容器にいれてよく混和すればよい。
出来た製品を、長期保存させるためには、加工終了後、全体を摂氏８０度以上で加熱殺菌しておく事が肝要である。
(57)【要約】【課題】本発明は、山林等の急斜面での伐採・下草刈り等、重労働で危険な作業を楽に効率良く行うことが出来る、作業補助装置を提供する。【解決手段】樹脂又は金属のワイヤー（１）を巻き取って収納する、収納ドラム（２）を設ける。そしてこの該ドラムの内部に、ワイヤー（１）をセットした、円周にギアー部分を設けた、ワイヤー巻取手段（８）を装着して設ける。また内周面に固定して、ベアリング内輪（３）を設け、このベアリング内輪（３）の内周面に合わせて、固定バンド（４）を設ける。また固定バンド（４）の外周面と、ベアリング内輪（３）の内周面には、面ファスナー（７）を設ける。さらには該ドラムの後方に固定して、ワイヤー巻取用動力装置（５）を、ワイヤー巻取手段（８）のギアー部分と、該動力装置のギアー部分に係合させて設ける。また該ドラムの適当なる位置に、動力制御装置（６）を該動力装置とを配線して装着する。【選択図】図１
2010183899.tif 000002
【特許請求の範囲】
【請求項１】
樹脂又は金属のワイヤー（１）を巻き取って収納する、収納ドラム（２）を設け、この該ドラムの内部に、ワイヤー（１）をセットした、円周にギアー部分を設けたワイヤー巻取手段（８）を装着して設け、内周面に固定して、ベアリング内輪（３）を設け、このベアリング内輪（３）の内周面に合わせて、固定バンド（４）を設ける、また固定バンド（４）の外周面と、ベアリング内輪（３）の内周面には、面ファスナー（７）を設け、さらには該ドラムの後方に固定して、ワイヤー巻取用動力装置（５）を、ワイヤー巻取手段（８）のギアー部分と、該動力装置のギアー部分に係合させて設け、また該ドラムの適当なる位置に、動力制御装置（６）を該動力装置とを配線して、装着してなる、山林斜面用・伐採下草刈補助装置。
【発明の詳細な説明】
【技術分野】
【０００１】  本発明は、林業に於ける山林の急斜面で、木の伐採や下草刈りを行う場合に、作業の手助けになるように、作業者の体を支える補助装置の技術に関するものである。
【背景技術】
【０００２】  従来、急斜面の伐採や下草刈りの作業は、多人数で行っているが、作業者の体を支える事に労するので、なかなか難しく、時間がかかり、且つ危険であった。
【発明の開示】
【発明が解決しようとする課題】
【０００３】  しかしながら、これらの作業技術は相変わらず人力に頼る事になり、自動化は出来ないから、作業時間はかかるし、人手はかかるし、危険でもあるので苦慮していた。
これら問題点を改善するために本発明はなされたのである。
【課題を解決するための手段】
【０００４】  本発明は簡単構造で、ローコストに装置化したものである。まず最近の漁業にも使用されているが軽量強靭な樹脂材質、又はステンレス材質等のワイヤー（１）を使用してこれを巻き取って収納する、収納ドラム（２）を設ける。そして収納ドラム（２）の、内部に、円周にギアー部分を設けた、すでにワイヤー（１）を巻き取ってセットされいる、ワイヤー巻取手段（８）を装着して設ける。この該ドラムの内周面に合わせて固定して、ベアリング内輪（３）を設ける。さらにこのベアリング内輪（３）の内周面に合わせて、固定バンド（４）を設ける。この固定バンド（４）の外周面と、ベアリング内輪（３）の内周面には、面ファスナー（７）が取付けてある。そして該ドラムの後方（作業者の背面側）に固定して、ワイヤー巻取用動力装置（５）を、ワイヤー巻取手段（８）のギアー部分と、該動力装置のギアー部分に係合させて設ける。また該ドラムの適当なる位置に、動力制御装置（６）を該動力装置と配線して装着する。
以上のような特徴より成る、山林斜面用・伐採下草刈補助装置である。
【発明の効果】
【０００５】  本発明は、シンプルなベアリングと小型のウィンチを応用したもので、作業者の腰に簡単に装着出来、急斜面の作業に於いてはワイヤーロープで、体を安定的に支えているので、作業者の身体的負担が無くなり、作業は跳躍的に楽になり、効率が上がった。
また、ワイヤーロープの巻上や巻降の動力は、電池で済むので電源のない山林などに適している。
【発明を実施するための最良の形態】
【０００６】  本構成は、強靭で軽量なる樹脂材質又はステンレス材質等のワイヤー（１）を、利用する。このワイヤー（１）を巻き取って収納する、収納ドラム（２）を設ける。次にこの該ドラムの内部に、すでにワイヤー（１）を巻付けてセットしてある、円周にギアー部分を設けた、ワイヤー巻取手段（８）を装着して設ける。さらに該ドラムの内周面に固定して、ベアリング内輪（３）を設ける。このベアリング内輪（３）の内周面に合わせて、固定バンド（４）を設ける。図３のごとく、この固定バンド（４）の外周面と、ベアリング内輪（３）の内周面には、面ファスナー（７）が適当なる箇所に、設けてある。さらには該ドラムの後方に固定して、ワイヤー巻取用動力装置（５）を、ワイヤー巻取手段（８）のギアー部分と、該動力装置のギアー部分に係合させて設ける。また該ドラムの適当なる位置に、動力制御装置（６）を該動力装置と配線して装着する。なお動力は、電力会社による山に引かれた電源を、利用して使用するのも良い。
本発明は以上のような構成であり、これを使用実施するときには、【０００７】  ワイヤー（１）の先端に杭（９）を装着して、斜面に打ち込み固定する。次に固定バンド（４）部分より、作業者が足から入って、胴周りに固定する。この固定バンド（４）は、作業者の体格差の違いにより、面ファスナー（７）を剥がして取り替えられる。
そして、動力制御装置（６）の電源を入れて、制御レバーでワイヤーロープを巻降ろして行くと、作業者の体はゆっくりと斜面を下りてゆく。適当な位置でワイヤーロープを止めて、下草刈り作業等が始まる。この時に作業者が左右に動こうが、胴巻き部分はベアリング内輪（３）の適度な回転により、ワイヤー（１）は常に一定の位置で、作業者の体を支持してくれる。さらに下に行ったり、上がったりする場合は、制御レバーでコントロールすれば良い。
【図面の簡単な説明】
【０００８】
【図１】    本発明の斜視図である。
【図２】    本発明の実施説明図である。
【図３】    本発明の平面断面図である。
【図４】    本発明の固定バンド部分の説明図である。
【符号の説明】
【０００９】      １  ワイヤー
２  収納ドラム
３  ベアリング内輪
４  固定バンド
５  ワイヤー巻取用動力装置
６  動力制御装置
７  面ファスナー
８  ワイヤー巻取手段
９  杭
１０  電力会社
１１  電源
【図１】
2010183899.tif 000003
【図２】
2010183899.tif 000004
【図３】
2010183899.tif 000005
【図４】
2010183899.tif 000006
(57)【要約】      （修正有）【課題】従来の針はずしは、フックの部分の開口部が狭いため釣り糸を通すことが難しかった。また、疑似餌などのように針と一体になったものについては疑似餌が邪魔になって針はずしが魚の口まで到達しないことが多かった。そこで、誰でもどんな針でも疑似餌付き針でも簡単に早く正確に針外しが出来る針はずし器を提供する。【解決手段】シャフト（２）と先端のフック（３）の広い開口部デザインにより、従来は垂直方向での針外し動作を横からも外せる機能を持たせた。【選択図】図１
2010183898.tif 000002
【特許請求の範囲】
【請求項１】
本体木製グリップ（１）に固定される金属製のシャフト（２）を設けそのフック部（３）を釣れた魚と釣り針を横からあてがい分離する器具
【請求項２】
本体樹脂製グリップ（１）に固定される金属製のシャフト（２）を設けそのフック部（３）を釣れた魚と釣り針を横からあてがい分離する器具
【請求項３】
本体木製グリップ（１）に固定されるカーボン繊維のシャフト（２）を設けそのフック部（３）を釣れた魚と釣り針を横からあてがい分離する器具
【請求項４】
シャフト（２）と先端のフック（３）の広い開口部デザインにより従来は垂直方向での針外し動作を横からも外せる機能を有することを特徴とする
【発明の詳細な説明】
【技術分野】
【０００１】この発明は釣りに使用し魚が針にかかってるものを取り外す機能がある道具である
【背景技術】
【０００２】従来も針金などを使用した針はずしがあり、魚が釣れると釣り糸に対しフック（３）を垂直に通したのち針まで下げて魚の口から針を分離する仕組みのがあった
【発明の開示】
【発明が解決しようとする課題】
【０００３】これは次のような欠点があった
（イ）フック（３）の部分も開口部が狭く釣り糸を通すことが難しく暴れる魚だと釣り糸を通すこともままならずうまく外れずに時間もかかっていた
（ロ）ルアーなどに代表される疑似餌など針と一体のものについては疑似餌が大きいと疑似餌が邪魔して針と魚の口まで到達しないことが多かった
（ハ）デザイン的に釣り糸が絡みやすく糸切れが発生し場合により魚に逃げられることも多かった
（ニ）使用方法が複雑で馴れないと大変使いづらいものだった
（ホ）魚から針を外しても針外しに針がひっかかることがあり敏速な動作に支障が出て釣り大会でもタイムロスになっていた
【課題を解決するための手段】
【０００４】（イ）釣り糸を掴みやすい広い開口部とシャフト（２）とフック（３）のデザインの変更を図った
（ロ）従来針はずしは魚に対して釣り糸を垂直へ口まで下ろして針を外すしくみだが当発明は、掛かった針を魚の真横から外せるようにした
【発明の効果】
【０００５】（イ）これを使用する時は本体木製グリップ（１）を握り固定される金属製のシャフト（２）とフック部（３）を利用し釣れた魚と釣り針を横からあてがい分離することにより疑似餌の影響に邪魔されることなく早く確実に正確に針外しが可能になった
（ロ）魚の口から針を外しても従来のように針外し器具に針が残ることなくスムースに次の動作に移行することができる
【発明を実施する為の最良の形態】
【０００６】魚が釣れたらグリップ（１）をしっかり握り先端のフック（３）を魚の口と針掛かりしている場所を横からあてがい針を外す
【図面の簡単な説明】
【０００７】
【図１】本発明の斜視図である
【符号の説明】
【０００８】１  グリップ      ２  シャフト      ３  フック
【図１】
2010183898.tif 000003
(57)【要約】【課題】主電動機の運転中に機内側の圧力が低下傾向になるファン側の軸受装置の油漏れを防止すること及び、潤滑油を循環させることである。【解決手段】反ファン側の油掻揚げ円板の回転により潤滑油は霧状になり飛沫室内に充満し、反ファン側の回転子軸に設けられた穴から潤滑油の一部が回転子軸内部の油通り道を通り、ファン側の軸受に流入する。ファン側の油溜りから溢れ出た潤滑油は下部の貯油室に送られ、再度、反ファン側の飛沫室に流入することで、潤滑油が循環される。【選択図】図１
2010183666.tif 000002
【特許請求の範囲】
【請求項１】
潤滑油を回転軸とともに回転する油掻揚げ円板で掻き揚げて軸受内に該潤滑油を供給する車両用主電動機において，該油掻揚げ円板を反ファン側のみに設けることにより、前記油掻揚げ円板を該ファン側に設けた場合生じる油漏れの発生を防止し、該潤滑油の循環を前記ファン側の飛沫室と反ファン側の飛沫室を接続した主電動機の下部に設けられた貯油室と、回転子軸内部の油通り道により行うことを特徴とする車両用主電動機の軸受装置。
【発明の詳細な説明】
【技術分野】
【０００１】
本発明は、車両用主電動機の軸受装置において、潤滑油を攪拌するための油掻揚げ円板と貯油室に関するものである。
【背景技術】
【０００２】
車両用主電動機の軸受の潤滑は従来よりグリースが用いられているが、分解保守期間の延長による保守作業の省力化を図る目的から、分解保守期間の延長が図れる油潤滑の軸受構造の開発研究が進められている。
図２には油潤滑する軸受構造の一例であり、１は固定子、２は回転子、３は回転子軸、４はファン、５はファン側油掻揚げ円板、６は反ファン側油掻揚げ円板、７および８はファン側の飛沫室および反ファン側の飛沫室であり、飛沫室下部の斜線で示す部分は潤滑油である。
軸受への潤滑油の供給は、飛沫室に溜められた潤滑油がそれぞれの軸受の近傍に設けられた油掻揚げ円板の回転により上部へ掻揚げられ、この掻揚げられた潤滑油が軸受箱や油掻揚げ円板の側面を伝って軸受に流入することにより潤滑される。  
【先行技術文献】
【特許文献】
【０００３】
【特許文献１】特許公開２００７−２２８６８２号公報
【発明の概要】
【発明が解決しようとする課題】
【０００４】
主電動機の運転時において特に高速回転時には、主電動機の回転子軸に取付けられたファンの回転により、機内側の軸受装置近傍の圧力が低下することになる。また、油掻揚げ円板の回転により攪拌された潤滑油の一部は霧状となり、飛沫室内に滞留する。
このため、油掻揚げ円板の回転により攪拌され霧状になった飛沫室内の潤滑油がラビリンスを通って吸い出され油漏れが発生することがあり、機内が汚染され、油が多量に漏れた場合は軸受の潤滑不良を起こし、軸受破損の原因となることがある。
【課題を解決するための手段】
【０００５】
請求項１の発明によれば、潤滑油を回転軸とともに回転する油掻揚げ円板で掻き揚げて軸受内に該潤滑油を供給する車両用主電動機において，該油掻揚げ円板を反ファン側のみに設けることにより、前記油掻揚げ円板を該ファン側に設けた場合生じる油漏れの発生を防止し、該潤滑油の循環を前記ファン側の飛沫室と反ファン側の飛沫室を接続した主電動機の下部に設けられた貯油室と、回転子軸内部の油通り道により行うことを特徴とする車両用主電動機の軸受装置である。
【０００６】
すなわち、車両用主電動機において、油掻揚げ円板を反ファン側のみに設けたことにより、ファン側に設けた場合にラビリンスを通って吸い出される油漏れの発生を防止し、油の循環をファン側の飛沫室と反ファン側の飛沫室を接続した主電動機の下部に設けられた貯油室と、回転子軸内部の油通り道より行う。
【発明の効果】
【０００７】
本発明の軸受装置の構造は、主電動機の運転中、反ファン側の油掻揚げ円板により霧状になり飛沫室内に充満した潤滑油の一部が、反ファン側の回転子軸に設けられた穴から回転子軸内部の油通り道を通り、ファン側の軸受の中に潤滑油として流入する。
ファン側の油溜りから溢れ出た潤滑油は下部の貯油室に送られ、再度、反ファン側の飛沫室に流入することで、潤滑油を循環することができる。
【図面の簡単な説明】
【０００８】
【図１】本発明の実施例を示す説明図である。
【図２】従来の一例を示す説明図である。
【発明を実施するための形態】
【０００９】
反ファン側の油掻揚げ円板の回転により潤滑油は霧状になり飛沫室内に充満し、反ファン側の回転子軸に設けられた穴から潤滑油の一部が回転子軸内部の油通り道を通り、ファン側の軸受に流入する。ファン側の油溜りから溢れ出た潤滑油は下部の貯油室に送られ、再度、反ファン側の飛沫室に流入することで、潤滑油が循環される。
【実施例１】
【００１０】
図１は、本発明の実施例を示す断面図であって、１は固定子、２は回転子、３は回転子軸、４はファン、６は反ファン側油掻揚げ円板、７および８はファン側の飛沫室および反ファン側の飛沫室、９は回転子軸内部の油通り道、１０は貯油室、１１はファン側の油溜りであり、各飛沫室７、８の下部及び貯油室１０内に斜線で示す部分は潤滑油である。
【００１１】
図２は、従来の一例で示す断面図であって、５はファン側の油掻揚げ円板であり、その他の符号は図１と同一である。図の如く、ファン側及び反ファン側それぞれに油掻揚げ円板が設けられている。
【００１２】
図１において、貯油室１０は主電動機の下部に設けられており、貯油室１０はファン側の飛沫室７と反ファン側の飛沫室８と接続されている。回転子軸内部の油通り道９はファン側の飛沫室７と反ファン側の飛沫室８と接続されている。
ファン側の飛沫室７の下部に設けられたファン側の油溜り１１は、軸受内に必要充分な潤滑油が溜まるような位置・容積になっており、回転子内部の油通り道９から流入する潤滑油が多くなると、ファン側の油溜り１１をオーバーフローして下部の貯油室１０に流入するようになっている。
【産業上の利用可能性】
【００１３】
主電動機の運転中に機内側の圧力が低下傾向になるファン側の軸受装置の油漏れを防止し、潤滑油を良好に循環させることにより、分解保守期間の延長による保守作業の省力化を図り、分解保守期間を延長させることができる。
【符号の説明】
【００１４】
１    固定子
２    回転子
３    回転子軸
４    ファン
５    ファン側油掻揚げ円板
６    反ファン側油掻揚げ円板
７    ファン側の飛沫室
８    反ファン側の飛沫室
９    回転子軸内部の油通り道
１０    貯油室
１１    ファン側の油溜り
【図１】
2010183666.tif 000003
【図２】
2010183666.tif 000004
(57)【要約】【課題】  デジタルカメラでワンセグテレビやオーディオ機能が付いていないのを解決する。【解決手段】  デジタルカメラにワンセグテレビとオーディオ機能をつける。【選択図】図１
2010183549.tif 000002
【特許請求の範囲】
【請求項１】
液晶画面でテレビが見られるようにし、オーディオ機能も本体に内蔵する。
【発明の詳細な説明】
【技術分野】
【０００１】    デジタルカメラにワンセグテレビや音楽やラジオなどを聞けるようにしたものである。
【背景技術】
【０００２】    従来、デジタルカメラだけで音楽やラジオやテレビが見られなかった。
【発明の開示】
【発明が解決しようとする課題】
【０００３】    デジタルカメラを外で使うときにオーディオ機器やワンセグテレビなどを他に持っていくのではいくつもの機器を持っていくのでは不便だった。
【課題を解決するための手段】
【０００４】    デジタルカメラにワンセグ機能やオーディオ機能をつけたりする。
【発明の効果】
【０００５】    デジタルカメラの大きな画面でワンセグテレビが見られ、音楽やラジオも他の機器を持っていかなくても済む。
【発明を実施するための最良の形態】
【０００６】    液晶画面でテレビが見られるようにする。オーディオ機能も本体に内蔵する。
【図面の簡単な説明】
【０００７】
【図１】  本発明の正面図である。
【図２】  本発明の背面図である。
【符号の説明】
【０００８】
【図１】
2010183549.tif 000003
【図２】
2010183549.tif 000004
(57)【要約】      （修正有）【課題】デジタルカメラで三脚を用いて自動シャッターを使い自分の写真を撮影しようとした場合、撮影しようとする自分の画像が画面のどの位置にあるかの確認が出来るようにする。【解決手段】デジタルカメラ本体１と液晶パネルユニット２が容易に着脱可能でなおかつ、写真撮影のためのシャッターボタン３が液晶パネル２側に設けられている構成とすることによって液晶カメラで自分の姿を確認しながらシャッターボタンを押すことが出来る。【選択図】図１
2010183548.tif 000002
【特許請求の範囲】
【請求項１】
デジタルカメラであって、
デジタル写真撮影機能を有するデジタルカメラ本体とモニター画像を映し出す液晶パネルユニットよりなり、
デジタルカメラ本体と液晶パネルユニットが容易に着脱可能でなおかつ、写真撮影のためのシャッターボタンが液晶パネルユニット側に設けられていることを特長とした着脱可能液晶パネル付デジタルカメラ。
【請求項２】
前記デジタルカメラ本体にワイヤレス画像信号発信機能を設け、液晶パネルユニットに同受信機能が設けられていることを特徴とする「請求項１」記載の着脱可能液晶パネル付デジタルカメラ
【請求項３】
前記デジタルカメラ本体から液晶パネルユニットにワイヤレで画像を伝送する方式としてブルーツースシステムを用いることを特徴とする「請求項１」記載の着脱可能液晶パネル付デジタルカメラ。
【発明の詳細な説明】
【発明の詳細な説明】
【技術分野】
【０００１】本発明は汎用のデジタルカメラに関するものである。
【背景技術】
【０００２】近年、デジタルカメラの品質、性能の向上には目覚しいものがあり、機能も次々に新しいものが考案され商品化されている。【０００３】  以下、図面を参照しながら、従来のデジタルカメラの一例について説明する。
図３は従来のデジタルカメラの構成を示すものである。【０００４】  図３において１はデジタルカメラ本体、２は写真撮影時の画像を映し出すための液晶パネル、３は写真撮影のためのシャッターボタンである。【０００５】また、図４はデジタルカメラ本体に内蔵された自動シャッターを用いる場合の一例を示すものであり、８はデジタルカメラ本体を支えるための三脚である。【０００６】  以上のように構成されたデジタルカメラで写真撮影を行う場合は撮影する者が画像を確認しながらシャッターを押すか、画像を確認した後、自動シャッターを用いて行なわれている。
【発明が解決しようとする課題】
【０００７】  しかしながらこの構成において、三脚を用いて自分の写真を撮影しようとした場合、自動シャッターを用いても撮影しようとする自分の画像が画面のどの位置にいるかの確認が出来ない。
【０００８】  本発明は上記課題に鑑み、写真撮影の対象となる自分の画像を確認しながらシヤッターを押すことが出来るデジタルカメラを提供しようとするものである。
【問題を解決するための手段】
【０００９】  この問題を解決するために、本発明のデジタルカメラは
デジタルカメラ本体と液晶パネルユニットが容易に着脱可能でなおかつ、写真撮影のためのシャッター機能が液晶パネルユニット側に設けられている構成としたものである。
【作用】
【００１０】このような構成にすることにより、三脚を用いて一人で自分の姿を撮影しようとする場合は、液晶パネルユニットを取り外し、手元で画像を確認し、シャッターを押すことが出来る。
【実施例】
【００１１】  以下、本発明の一実施例のデジタルカメラについて、図を参照しながら説明する。【００１２】  図１において１は本発明のデジタルカメラ本体であり、２は写真撮影時に画像を確認するための液晶パネルユニット、３は写真撮影のためのシャッターボタンである。【００１３】  また図２は１のデジタルカメラ本体から２の液晶パネルユニットを取外した状態を示すもので、４は画像信号を液晶パネルユニットに発信するための画像信号発信部、５はデジタルカメラ本体より発信された画像信号を液晶パネルユニットが受けるための画像信号受信部、６は逆にシャッター信号を液晶パネルユニットより送信するためのシャッター信号発信部、７はデジタルカメラ本体にてそのシャッター信号を受けるためのシャッター信号受信部である。【００１４】  以上のように構成されたデジタルカメラについて以下その動作を説明する。【００１５】  図２に示されるように液晶パネルユニット２をデジタルカメラ本体１からとりはずし、そのデジタルカメラ本体１を図４の三脚８と同様の三脚に取り付ける。【００１６】  自分で自分の写真を撮影しようとするものが、その液晶パネルユニット２を持ってデジタルカメラ本体１の前に立つと、その本体の画像信号発信部４から発信された画像信号を液晶パネルユニット２の画像信号受信部５で受けて、液晶パネルユニット２に本人の姿が映し出されることになる。【００１７】  映し出された自分の姿をこの液晶パネルユニット２で確認し、立つ位置等を修正した後、液晶パネルユニット２に取り付けられたシャッターボタン３を押す。【００１８】  このシャッターボタン３を押すことにより、液晶パネルユニット２のシャッター信号発信部からシャッター信号がデジタルカメラ本体１のシャッター信号受信部７に送られデジタルカメラ本体１のシャッターが切られることとなる。【００１９】  以上説明したように、本発明は一人で自分の姿を写真撮影するときに、手元の液晶パネルで確認しながら、シャッターを切ることが出来るようにしたものである。
【発明の効果】
【００２０】  以上のように本発明により、一人で自分の姿を写真撮影をしようとするときにデジタルカメラ本体を三脚に取り付けて、カメラ本体から液晶パネルを取外し、それを持ってカメラの前に立ち、液晶パネルで自分の姿を確認し、立つ位置等を修正した後に液晶パネルについているシャッターボタンを押すことで、デジタルカメラ本体のシャッターを切ることができる。
【図面の簡単な説明】
【００２１】
【図１】  本発明の実施例における構成及び動作説明のための図。
【図２】  本発明の実施例における構成及び動作説明のための図。
【図３】  デジタルカメラの従来例。
【図４】  デジタルカメラの従来例。
【符号の説明】１  デジタルカメラ本体
２  液晶パネルユニット
４  画像信号発信部
５  画像信号受信部
【図１】
2010183548.tif 000003
【図２】
2010183548.tif 000004
【図３】
2010183548.tif 000005
【図４】
2010183548.tif 000006